Podtech/llm-jp-corpus-v4-ja_patent huggingface dataset:
(57)【要約】【課題】  磁気活用の腰治療器は従来フィルム状の中心部に磁石を張り付けた形状のものが多く、効果を高めるために直接腰のツボに作用する方法を提供することが課題である。【解決手段】  １腰治療器本体に２円柱状や球状の磁石をデータに基づく３腰ツボの位置に組み込ませ、１腰治療器本体を柔軟性の大きいウレタン等の素材で作成して、使用する人の体形に適合するような形の腰治療器を提供する。【選択図】図２
2014042778.tif 000002
【特許請求の範囲】
【請求項１】
人体の平均的な腰の形状をウレタン等の柔軟性のある素材で成形した腰当てに、腰のツボの位置に円柱状や球状の磁石等を組み込んだ磁気治療器
【請求項２】
人体の平均的な肩や背中の形状をウレタン等の柔軟性のある素材で成形した腰当てに、腰のツボの位置に円柱状や球状の磁石等を組み込んだ磁気治療器
【請求項３】
柔軟性の高いウレタン等の素材で成形したさまざまな体型に適応することができる万能サイズの、腰当てに、腰のツボの位置に円柱状や球状の磁石等を組み込んだ磁気治療器
【請求項４】
磁気治療器本体にベルトを取り付け、椅子に固定する、または直接腰部に巻き付けることを可能にした磁気治療器
【発明の詳細な説明】
【技術分野】
【０００１】腰部に刺激を与え治癒効果を高める構造の器具に関する。
【背景技術】
【０００２】古くから人体には健康回復を促すツボがあることが知られている。【０００３】磁石には発生される磁力により血流を促し、健康を回復させる機能を持つことが言われてきている。
【発明の概要】
【発明が解決しようとする課題】
【０００４】磁気治療器は、半球状の磁石をフィルム等の中央に貼ることで、磁力の効果を得る治療器が多くを占めている。当発明品は、柔軟性のある素材で人体の形に成形することで、上から荷重がかかると内側に歪むことで、磁石が人体にフィットすることが出来るため、効果的な治療ができる。【０００５】腰ツボは人の体形により位置が違うため椅子のような固定の用具では、腰ツボに的確に合わすことが難しい。
【課題を解決するための手段】
【０００６】ウレタン等の柔軟性のある素材を本体に使用して、体形による腰ツボの位置に的確に合わせるようにする。組み込まれる磁石等の部材が本体より上面に突起物となり、腰ツボに刺激を与え磁石の効果を促進させるように設置する。
【図面の簡単な説明】
【０００７】
【図１】は腰治療器の据え置き型の斜視図である。
【図２】は腰治療器本体と組み込まれた磁石等の組み込み位置を示す図である。
【図３】は腰治療器の上面からの図である。
【図４】は腰治療器本体の上面図で磁石等の組み込み位置を示す図である。
【図５】は腰治療器本体の薄型タイプの斜視図である。
【図６】はベルト付腰治療器本体の上面図である。
【図７】はベルト付腰治療器本体の斜視図である。
【図８】はベルト付腰治療器本体の側面図である。
【図９】は腰治療器を椅子に設置した時の図である。
【図１０】は腰治療器を人体、腰部に設置した時の図である。
【符号の説明】
【０００８】１．腰治療器本体
２．円柱状や球状の磁石
３．腰ツボを示す位置
４．ベルト
５．椅子
６．人体胴部
【発明を実施するための形態】
【０００９】ウレタン等の柔軟性のある素材が、１腰治療器本体を異なる様々な形の人体にフィットする形状を作る。また、データに基づき組み込まれた２円柱状や球状の磁石等が、１腰治療器本体に使用されているウレタン等の柔軟な素材の変形により、基本的な３腰ツボの位置にフィットするようになる。
【実施例】
【００１０】図１から図５のように１腰治療器本体を人体の形状に沿ったカーブを付けたウレタン等の柔軟性のある材質で成形する。柔軟性の大きい素材を使用することにより、使用する人の体形に本体が適合するため、より的確な位置に刺激を与えることができるようになる。【００１１】１腰治療器本体には２円柱状や球状の磁石を３腰ツボを示す位置に組み込んで磁石による治癒力を的確な個所で効果を発揮させる。【００１２】１腰治療器本体に４ベルトを設置して、図９のように５椅子の背に固定して、座った姿勢での治療を可能にする。【００１３】さらに、１腰治療器本体に設置された４ベルトを図１０のように６人体胴部に直接固定して取り付けることにより、場所、姿勢に関係なく腰治療を受けることが可能になる。【００１４】図１から図９に示される２円柱状や球状の磁石の組み込まれる位置は３腰ツボを示す位置になるが、これらの各位置は人体一般の腰ツボのデータをもとに設定されている。
【図１】
2014042778.tif 000003
【図２】
2014042778.tif 000004
【図３】
2014042778.tif 000005
【図４】
2014042778.tif 000006
【図５】
2014042778.tif 000007
【図６】
2014042778.tif 000008
【図７】
2014042778.tif 000009
【図８】
2014042778.tif 000010
【図９】
2014042778.tif 000011
【図１０】
2014042778.tif 000012
(57)【要約】【課題】匙でなでたり押さえるが透明で無い為にやりづらかった。【解決手段】透明なガラス又はプラスチックで灰匙を作り灰の表面を可視化させて、作業を楽にする【選択図】図１
2014042774.tif 000002
【特許請求の範囲】
【請求項１】
灰をならす灰さじのならし部分を透明又は透光性を有するプラスチックで形成した灰匙。
【請求項２】
灰ならし部及び握手を透明又は透光性を有するガラス又はプラスチックで出来た灰匙。
【発明の詳細な説明】
【技術分野】
【０００１】茶道において炭手前の灰をならすための灰匙に関するものである。
【背景技術】
【０００２】従来の灰匙は金属で出来ており、なでている面が見えないという問題があった。
【先行技術文献】
【特許文献】
【０００３】
【特許文献１】公開実用新案  実開  平３−７３２６
【発明の概要】
【発明が解決しようとする課題】
【０００４】    従来の金属製灰匙では形を作るのがやりにくかった。従ってならす灰が使用者にもよく見えるようにする事を目的とする。
【課題を解決するための手段】
【０００５】この透明なこする部分を有する本発明の灰匙は灰をならす灰さじのならし部分を透明又は透光性を有するプラスチックで形成した灰匙。
灰ならし部及び握手を透明又は透光性を有するガラス又はプラスチックで出来た灰匙。
【発明の効果】
【０００６】灰で形を作るのが苦手な人にも簡単に灰で形を作る事が出来るようになる
灰匙は色々な形状の物がありますが、なでたり押さえる部分（図１図２斜線部）をガラス又はプラスチックで可視化させる。
【図面の簡単な説明】
【０００７】
【図１】灰匙を上部から見た所
【図２】灰匙を横から見た所
【図３】灰匙を前から見た所
【発明を実施するための形態】
【０００８】本発明の灰匙においては図１〜３をもって説明する
灰匙１は使用者が持つ棒状の握手２と握手２と握手の先端に連接されているならし部とからなる。
ならし部３は透明で透光性を有するガラス又はプラスチックから形成され透明で透光性を有する。
中央に向かった凹レンズ状椀状形成されその部分４で灰をならすようになっている。
ならし部は図１〜図３に示すような形のみならず、蓮の花びら型や笹の葉型や図に示した小判型がある。
この様にならし部が透明又は半透明である事により、ならす灰の表面が見えるので、灰を綺麗にならす事が出来る。
【図１】
2014042774.tif 000003
【図２】
2014042774.tif 000004
【図３】
2014042774.tif 000005
(57)【要約】      （修正有）【課題】歯ブラシのような口内の粘膜を損なうことのない、簡便に口内清浄が可能な口内清浄具を提供する。【解決手段】口内清浄具１は、把持部材２と、把持部材２の先端に固定した、弾性のあるシリコンゴム製の球状ヘッド部材と、球状ヘッド部材に対して被装される、着脱可能な口内清浄部材６とから構成される。把持部材２は、棒状の柄３に対して握り具４を被装して構成される。握り具４は、使用者の年齢に応じて適当な寸法により、また滑りにくく、持ちやすいように製造される。【選択図】図１
2014042775.tif 000002
【特許請求の範囲】
【請求項１】
把持部材（２）と、前記把持部材の先端に固定した、弾性のあるシリコンゴム製の球状ヘッド部材（５）と、前記球状ヘッド部材に対して被装される、着脱可能な口内清浄部材（６）とから構成されることを特徴とする口内清浄具。
【請求項２】
前記口内清浄部材が、無添加で且つ無害の素材であるオーガニックコットンであることを更に特徴とする請求項１に記載の口内清浄具。
【請求項３】
前記把持部材が、棒状の柄（３）に対して握り具（４）を被装して構成され、前記握り具が、プラスチック製の連続する複数の球体に少なくとも１つの色彩を施すことによって構成されることを更に特徴とする請求項１または２に記載の口内清浄具。
【請求項４】
前記複数の球体は、それぞれ異なる寸法によって、あるいは、振動により様々な音を発生するように構成されることを更に特徴とする請求項３に記載の口内清浄具
【発明の詳細な説明】
【技術分野】
【０００１】  本発明は、歯磨き用のブラシ状の器具を備えていない、口内清浄具に関し、特に、乳歯の生えていない、あるいは乳歯の生え始めの乳児に使用するのに適した口内清浄具に関するものである。
【背景技術】
【０００２】  一般に、乳歯の生えていない乳児あるいは乳歯の生え始めの乳児の口内を清浄するには、保育者が、ガーゼ等を乳児の口内に挿入して、汚物を拭い取ることが行われている。特に、歯ブラシのような、使用に刺激を伴う器具は、デリケートな乳児の口内を清浄するには不適当であり、またそのような器具で、むずかる乳児に口磨きを習慣づけることは容易ではない。
【発明の概要】
【発明が解決しようとする課題】
【０００３】  本発明の課題は、特に、乳歯の生えていない、あるいは乳歯が生え始めた乳児に対して、歯ブラシのような口内の粘膜を損なうことのない、簡便に口内清浄が可能な、新規な口内清浄具を提供することである。
【課題を解決するための手段】
【０００４】  本発明の口内清浄具は、把持部材と、把持部材の先端に固定した、弾性のあるシリコンゴム製の球状ヘッド部材と、この球状ヘッド部材に対して被装される、着脱可能な口内清浄部材とから構成されている。【０００５】  本発明は、口内清浄部材として、ガーゼ等の口内の粘膜を損なうことのない部材と同様の機能を果たすことが可能な、無添加で且つ無害の素材であるオーガニックコットンを使用することができる。【０００６】  また、本発明は、把持部材として、特に乳児用には、乳児の興味を引きやすい、色彩を施した遊具機能を果たす部材を使用することができる。
【発明の効果】
【０００７】  本発明によれば、従来のような方向性をもつ歯ブラシのような磨き具とは異なり、乳児がおしゃぶりのようにして口内に入れて、軽く自在に動かすだけで、口内の全体にわたって汚物を拭い取ることができ、極めて簡単な口内清浄を可能にする。【０００８】  本発明によれば、むずかる乳児に対して無理を強いることなく、保育者が簡単に乳児の口内に入れることができ、迅速な口内清浄を可能にする。【０００９】  本発明によれば、ブラシ状の器具を使用することがないので、口内の粘膜を損なうことがなく、特に乳児に対する安全な口内清浄を可能にする。【００１０】  本発明によれば、把持部材に遊具機能を付加することによって、乳児に興味を持たせて使用を促進することができ、幼児が、口内清浄を生活習慣として容易に身に付けることを可能にする。【００１１】  本発明によれば、口内清浄具の寸法を選択することによって、幼児、大人への使用が可能であり、口内術後用の医療器具として、寝たきりの患者の介護器具として、また総入れ歯を使用している高齢者用の清浄器具として、利用可能である。
【図面の簡単な説明】
【００１２】
【図１】図１は、本発明の口内清浄具の一実施例を示す。
【図２】図２は、本発明の口内清浄具の部分図であり、口内清浄部材が被装された球体ヘッド部材の断面を示す。
【発明を実施するための形態】
【００１３】  図１において、本発明の口内清浄具１が示されている。把持部材２は、棒状の柄３に対して握り具４を被装して構成される。握り具４は、使用者の年齢に応じて適当な寸法により、また滑りにくく、持ちやすいように製造されれば良く、たとえば、乳児用であれば、乳児が興味を持ちやすいように遊具機能を付加してもよい。図示実施例によれば、握り具４は、乳児用に供するために、たとえば、プラスチック製の連続する複数の球体に少なくとも１つの色彩を施すことによって構成し、また複数の球体は、それぞれ異なる寸法によって、あるいは、振動により様々な音を発生するように構成されている。
【００１４】  把持部材１の先端、即ち棒状の柄３の先端には、口内清浄のための芯材として、弾性のあるシリコンゴム製の球状ヘッド部材５が固定される。球状ヘッド部材５については、口内での操作が容易であり、口内の操作で口内の粘膜を損なうことがない形状、寸法、材料を選択することが考慮されるべきである。また、球状ヘッド部材５の形状は、その断面が円形であっても、楕円形であっても良い。
【００１５】  図２は、口内清浄部材６が被装された球体ヘッド部材５の断面を示しており、球状ヘッド部材５の形状を、清浄面積を円形に比べて比較的大きく取れる、楕円形に構成してある。
【００１６】  球体ヘッド部材５には、実際に口内清浄の機能を果たす口内清浄部材６が被装される。口内清浄部材６は、清潔な使用を確保するために、また使用回数を重ねた劣化に対処するために、球体ヘッド部材５に対して適宜着脱可能に構成される。具体的には、口内清浄部材６の一端に、開口面積が可変の伸縮性の開口（図示せず）を設け、口内清浄部材６をこの開口を介して球体ヘッド部材５に対して着脱すればよい。
【００１７】  口内清浄部材６としては、口内清浄の効果に優れ、球体ヘッド部材５に対して着脱が容易で、無害な材料が選択されるべきである。具体的には、口内清浄部材６の材料として、無添加で且つ無害の素材であるオーガニックコットンを使用することができる。口内清浄部材６には、使用者の年齢あるいは性別、また乳児用或いは医療／介護者用等の使用目的に応じて、適当な薬剤或いは香料を含浸させても良い。また、口内清浄部材６の材料として、口内清浄の効果に優れ、球体ヘッド部材５に対して着脱が容易であり、口内の粘膜を損なうことがない限り、柔らかな植毛を施し、或いはスポンジ材を貼着した布材を使用することもできる。また、口内清浄部材６の材料として、繰り返し使用するために洗浄可能な材料を使用することもできる。
【符号の説明】
【００１８】１：口内清浄具
２：把持部材
３：棒状の柄
４：握り具
５：球体ヘッド部材
６：口内清浄部材
【図１】
2014042775.tif 000003
【図２】
2014042775.tif 000004
(57)【要約】【課題】    靴用インソールでサイズ合わせのためでなく、使用することにより足つぼにマッサージ効果を与えるインソールを開発することである。【解決手段】足つぼの位置に合わせるように、磁気を持つ突起物を配置する。【選択図】図３
2014042777.tif 000002
【特許請求の範囲】
【請求項１】
足裏の「土ふまず」の部分に、円盤状等の大きな部分とその円盤状等より突起のある磁石を用い、インソール部分から磁石の突起部分が付き出た構造を持つインソール。
【請求項２】
足裏の「土ふまず」の部分に、円盤状等の大きな部分とその円盤状等より突起のある磁石を用い、突起部分のある反対側の面に磁石を固定する素材を持つインソール。
【請求項３】
土踏まずの形で、裏側の押さえを用いたインソール。
【発明の詳細な説明】
【技術分野】
【０００１】磁石を装着して特殊効果を持たせる形状のインソールの構造に関する。
【背景技術】
【０００２】従来のインソールは靴のサイズを合わせるという機能に観点を合わせた形状を保持するのみであった。【０００３】健康サンダルのようなイボイボを全面に配置したものはあるが、足裏のツボを直接刺激する配置、磁石の効果を加味させた形状の突起物を配置したものはなかった
【発明の概要】
【発明が解決しようとする課題】
【０００４】靴を履いていて感じる足の疲労感を、いかにして自然に靴を履いたまま削減することができるようにするかが課題である。【０００５】靴内側の底に設置するインソールのどの位置に、またどのような形状で、どのような材質の突起物を設置することが健康的に良い結果を得られるかが課題である。
【課題を解決するための手段】
【０００６】磁気によるマッサージ効果を得られる突起物を履いている間でもずれないような方法で、足つぼに合う個所にインソール表面よりやや上方に出るように設置する。
【図面の簡単な説明】
【０００７】
【図１】は磁気インソール全体の図である。
【図２】は磁気インソールへの磁気を持つ突起物の装着位置の指示図である。
【図３】は磁気インソールへ装着する磁気を持つ突起物の装着位置の指示図である。
【図４】はインソールの形状図である。
【図５】は装着される磁気を持つ突起物の形状図である。
【符号の説明】
【０００８】１．左足用磁気インソール
２．右足用磁気インソール
３．磁気を持つ円盤状のような突起物
４．磁気を持つ突起物が装着される個所の形状
【発明を実施するための形態】
【実施例】
【０００９】    図１のようにイボイボのついた１左用２右用のインソールに図５にある３磁気を持つ突起物を装着する。【００１０】    図２のように３磁気を持つ突起物を４磁気を持つ突起物が装着される個所に設置する。【００１１】    図４にあるように、３磁気を持つ突起物は足つぼとなる４磁気を持つ突起物が装着される位置に突起を上面に向けて設置される。【００１２】    図３では１左用２右用のインソールに設置される３磁気を持つ突起物を４磁気を持つ突起物が装着される個所に足つぼにならって設置する。その位置が足つぼとなるような配置を考慮する必要がある。
【図１】
2014042777.tif 000003
【図２】
2014042777.tif 000004
【図３】
2014042777.tif 000005
【図４】
2014042777.tif 000006
【図５】
2014042777.tif 000007
(57)【要約】      （修正有）【課題】女性のおしゃれアイテム髪留め和洋飾りの宝飾部品の一部に老眼レンズ、または、拡大鏡、もしくは、ルーペを取り入れ一体化固定し髪から取り、服に留めたり外したりして小さな文字や細かな物を見るときなど、すぐに使える、老眼レンズ、拡大鏡ルーペ付き髪留め和洋飾りおしゃれ便利なアイテムを提供する。【解決手段】髪留め髪飾り１の宝飾部品５の一部に融合させデザインにあう大きさ形の、老眼レンズ２、拡大鏡３、もしくは、ルーペ４を配置し、固定させレンズの透明感と宝飾部品とも一体化、多種多様な素材でもデザイン製造可能で、髪留め和洋飾り付き老眼、拡大鏡ルーペ。【選択図】図１
2014042781.tif 000002
【特許請求の範囲】
【請求項１】
髪留め和洋飾りの素材やデザインに応じ老眼レンズ、または拡大鏡、もしくはルーペのいずれかのレンズの形や素材材質を考慮し、組み込み固定し宝飾部品と一体化、髪留め和洋飾り本体も多種多様な素材が可能で、クリップタイプの他、髪や服、バック、又、帯・帯留めに挟み留める事が出来る形状を条件に宝飾部品のデザインの一部にレンズ置き髪留め和洋飾り本体留め具の開閉の妨げないよう固定し作ることを特徴とする、髪留め和洋飾りとしての装着、必要時直ぐに使える老眼拡大鏡ルーペを兼ね備えた、髪留め和洋飾り老眼拡大鏡ルーペである。
【発明の詳細な説明】
【技術分野】
【０００１】  この発明は、髪留め和洋飾りに老眼鏡のレンズ、または、拡大鏡ルーペを組み込み固定した髪留め和洋飾り老眼、拡大鏡ルーペに関するものである。
【背景技術】
【０００２】  従来、拡大鏡、ルーペといえば、一般的にはネックレスタイプや、指に付けて（特許文献１）使うものか、腕に付けたり（特許文献２）必要なとき取り出して使用するもの（特許文献３）でしかなかった。
つねに身に付けるには不便なものであった。
いずれも女性のおしやれアイテムとして常に身に付ける物は限られていた。
【先行技術文献】
【特許文献】
【０００３】
【特許文献１】  特開平０６−２１５４１４号公報
【特許文献２】  特開平０７−１０８４３５号公報
【特許文献３】  特開平１１−５０６３１号公報
【発明の概要】
【発明が解決しようとする課題】
【０００４】  そのために、次のような問題点があった。
（イ）いままでのものは、指輪タイプであっても装飾品ではないので、つねに指につけて    は使用しにくいものであった。
（ロ）必要時に保管場所まで取りにいったり、バックなどから取り出す不便さがあった。
（ハ）首から下げるものは、肩こりの人にはつらいものであり、ネックレスタイプは、か    がんだりすると、前にぶら下がり邪魔になる欠点もあった。【０００５】  髪留めを和洋飾りに、老眼レンズ、または、拡大鏡、もしくは、ルーペの、ガラスレンズ、アクリルレンズの素材や形を問わず装飾部品とデザインによりバランスを考慮し、髪留め、和洋飾りの本体留め具の開閉に妨げないように固定して作る。
以上を特徴とする髪留め和洋飾り老眼、拡大鏡ルーペである。
【発明の効果】
【０００６】  髪留め和洋飾りに老眼レンズ、または、拡大鏡、もしくは、ルーペが一体化した形状のため、必要なときだけ髪から取りすぐに使用可能で、慌てて探し困ることもなく、常に髪に付けたり、服にブローチの様に、はさんだり、留めたり、バックに留めることが可能で、和装洋装のおしゃれアイテム髪留め和洋飾りの宝飾部品に老眼レンズ拡大鏡、ルーペが一体化しているため、レンズの透明感も髪留め和洋飾りに付属されるクリスタルな宝飾部品とも相性も良く、デザインしやすい組み合わせである。
【発明を実施するための形態】
【０００７】  以下、本発明の実地の形態について説明する。
（イ）髪留め和洋飾り（１）老眼レンズ（２）または拡大鏡（３）、もしくはルーペ（４    ）が配置されるように、クリスタル他、宝飾部品（５）をプラスしたデザインに、レ    ンズの形は問わず組み込み一体化、本体留め具の開閉の妨げない様にレンズ他部品を    固定する。
（ロ）宝飾部品（５）のついた髪留め和洋飾りに老眼レンズ（２）、または、拡大鏡（３    ）もしくは、ルーペ（４）をプラスした多種多様なデザインが可能である。
（ハ）髪留め和洋飾りは、クリップタイプ他、髪に留め挟んだり、バックに留めたり、と    きには服に挟んだり帯、帯留めなどに装着できる形状にする。
（二）髪留め和洋飾りの本体の素材も、宝飾部品も、多種多様であるが老眼レンズ（２）    、拡大鏡（３）、ルーペ（４）もデザインのバランスによりレンズの種類や素材、レ    ンズの形を選び、いずれも宝飾部品とレンズを融合させる。
【図面の簡単な説明】
【０００７】
【図１】  本発明の斜視図である。
【図２】  本発明の実施例を示した斜視図である。
【図３】  本発明の他のデザインの説明図である。
【図４】  本発明の他のデザインの実施例を示した斜視図である。
【符号の説明】
【０００８】  １  髪留め和洋飾り
２  老眼レンズ
３  拡大鏡
４  ルーペ
５  宝飾部品
【図１】
2014042781.tif 000003
【図２】
2014042781.tif 000004
【図３】
2014042781.tif 000005
【図４】
2014042781.tif 000006
(57)【要約】      （修正有）【課題】違和感を無くし、冷蔵庫の中での場所を削減するように、かまぼこ型アイスノン（登録商標）を提供する。【解決手段】首の湾曲に沿うよう、縦幅を細くしたかまぼこ型アイスノンとする。【選択図】図１
2014042789.tif 000002
【特許請求の範囲】
【請求項１】
縦幅を細く、さらに首の湾曲に沿うようかまぼこ型を設けたかまぼこ型アイスノン。
【発明の詳細な説明】
【発明の詳細な説明】
【技術分野】
【０００１】  この発明は、アイスノン（商標登録・以下省略）の縦幅を細くし、なおかつ首の湾曲に沿う様かまぼこ型に設けた、かまぼこ型アイスノンに関するものである。
【背景技術】
【０００２】  従来のアイスノンは大きくて硬いか、やわらかくて保冷持続時間が短い。
【発明が解決しようとする課題】
【０００３】  これはつぎのような欠点があった。
（イ）従来、大きく硬い為少し違和感があり特に熱のある小さな子供は嫌がる。
（ロ）大きい為、冷凍庫の中で場所をとる。
（ハ）やわらかい物は保冷持続時間が短い。
（ニ）熱い夏、省エネの為一人一つ家族分冷凍庫で冷やしておきたいが収まらない。
本発明は、以上のような欠点をなくすためになされたものである。
【課題を解決するための手段】
【０００４】  アイスノンの縦幅を細くし、首の湾曲に沿う様かまぼこ型を設ける。
本発明は、以上の構成よりなる、かまぼこ型アイスノンである。
【発明を実施するための形態】
【０００５】  以下、本発明の実施の形態について説明する。
アイスノンの縦幅を首の湾曲に沿う様細く、なおかつかまぼこの様に丸みをもたせる。
本発明は、以上のような構造でこれを使用するときは、首の湾曲部位にこれをかえば良い。
【発明の効果】
【０００６】（イ）首に沿う形状なので、違和感なく安眠することができる。
（ロ）省エネにと夏の夜に一人一つ寝床へ持って行きたいご家庭の、冷凍庫のなかに二つしか入らなかったところ三つ四つ冷やすことができる。
（ハ）首の後ろにあるツボを刺激して鼻詰まりがやわらぐ効果も期待できる。
【図面の簡単な説明】
【図１】本発明の斜視図である。
【図２】本発明の正面図である。
【符号の説明】
【図１】
2014042789.tif 000003
【図２】
2014042789.tif 000004
(57)【要約】【課題】従来、手拭タオルを使用する場合、頭にタオルを被せた後にタオルの両端を後頭部付近で結ぶ事が一般的であるが、両手を後ろにして結ぶ事による結びにくさや、使用中に結び目が緩まったり、ほどけることが散見され、その度に結びなおす等の煩わしさが残る。本発明は、容易に頭に巻け、ほどくことができる、髪束ね用タオルを提供する。【解決手段】手拭タオルの１隅に差込穴を設け、差込部を差込穴に通すことでタオルを頭にフィットさせることのできる髪束ね用タオル。【選択図】図１
2014042792.tif 000002
【特許請求の範囲】
【請求項１】
タオルの１隅に差込穴を設けた髪束ね用タオル。
【発明の詳細な説明】
【技術分野】
【０００１】本発明は、頭に巻くことにより髪の毛を束ね、頭皮からでる汗（以下、頭汗とする）の落下を防止する事のできる、髪束ね用タオルに関するものである。
【背景技術】
【０００２】料理や掃除など、髪の毛や頭汗の落下の防止が必要とされる家事を行う場合や、農作業など、炎天下で行う作業時の熱中症対策として、帽子を被ったり、タオルを巻いたりする事が一般的である。
【先行技術文献】
【特許文献】
【０００３】
【特許文献１】登録実用新案第３１５７１３９号
【発明の概要】
【発明が解決しようとする課題】
【０００４】従来、手拭タオルを使用する場合、頭にタオルを被せた後にタオルの両端を後頭部付近で結ぶ事が一般的であるが、両手を後ろにして結ぶ事による結びにくさや、使用中に結び目が緩まったり、ほどけることが散見され、その度に結びなおす等の煩わしさが残る。
本発明は、以上の問題点を解決するためになされたものである。
【課題を解決するための手段】
【０００５】手拭タオルの１隅に差込穴を設けた。以上の構成よりなる、髪束ね用タオル。
【発明の効果】
【０００６】従来の手拭タオルでは防げなかった、頭に巻く際の煩わしさや、巻いた後の結びなおしの煩わしさを本発明では防ぐことができる。
【図面の簡単な説明】
【０００７】
【図１】本発明の全体図
【図２】差込穴（２）の拡大図
【図３】本発明の使用状態を示す全体図  背面
【図４】本発明の使用状態を示す全体図  正面
【発明を実施するための形態】
【０００８】  以下、本発明の実施の形態を説明する。
（イ）タオル（１）の１隅に、差込穴（２）を設ける。
本発明は以上のような構造である。
本発明を使用するときは、まず、差込穴（２）を右手親指と人差し指でつまみ、差込部（３）を左手親指と人差し指でつまむ。このとき、差込穴（２）に右手人差し指を軽く挿入しておく。
次にタオルを両手に持ったまま後頭部に配置し、その後両手を前方に倒すことで、タオルを頭にかぶせる。タオルの端をおでこのどのあたりに配置するかは、使用者の好みにより変更が可能となる。
続いて、タオルをつまんだまま両手を後頭部に運び、差込穴（２）に差込部（３）を挿入する。そして、差込穴（２）を押さえたまま、差込部（３）を引っ張ることで、タオルを頭にフィットさせる。頭へのタオルの締め付け度合いは、使用者が差込穴（２）に挿入された差込部（３）の引っ張り量に比例する。
【符号の説明】
【０００９】  １タオル  ２差込穴  ３差込部
【図１】
2014042792.tif 000003
【図２】
2014042792.tif 000004
【図３】
2014042792.tif 000005
【図４】
2014042792.tif 000006
(57)【要約】【課題】テ−ブル上に直接置いた時、使用中の頭部の汚れた口含み部が接触してテ−ブルクロスやナプキンを汚損したり、又は、逆に頭部がクロスで汚れることの無い衛生的な洋食器のフォ−クとスプ−ンを提供する。【解決手段】柄本体（Ａ）と頭部の口含み部（Ｂ）とからなる飲食用のフォ−クとスプ−ンに於いて、口含み部（Ｂ）に近い頚部に、下に突の湾曲部（Ｃ）を設け、テ−ブル上に置いた時、てこの原理応用で、力点となる柄本体（Ａ）の後端下縁（１）の接触点と支点となる湾曲部（Ｃ）の下側接触点（２）を結ぶ直線の延長線の上方空間に、作用部となる口含み部（Ｂ）を保持すべくなした洋食器のフォ−クとスプ−ンの構成を特徴とした【選択図】図１
2014042795.tif 000002
【特許請求の範囲】
【請求項１】
本発明は、柄本体と頭部の口含み部とからなる飲食用のフォ−クとスプ−ンに於いて、口含み部に近い頚部に、下に突の湾曲部を設け、テ−ブル上に置いた時、てこの原理応用で、力点となる柄本体の後端下縁の接触点と支点となる湾曲部の下側接触点を結ぶ直線の延長線の上方空間に、作用部となる口含み部を保持すべくなした構成を特徴とした洋食器のフォ−クとスプ−ン
【発明の詳細な説明】
【技術分野】
【０００１】本発明は、卓上に直接置いた時、使用中の頭部の口含み部が接触してテ−ブルクロスやナプキンを汚損したり、又は、逆に頭部がクロスで汚れることの無い衛生的な洋食器のフォ−クとスプ−ンの構成に関する。
【背景技術】
【０００２】  近年、多様な生活様式の食文化の中で、特に外食の場合、一般の人の間でも洋食を嗜む機会が多くなっている。【０００３】  テ−ブルマナ−を重んじたレストラン等の洋食店では、事前又は食事中には使用前や使用中のフォ−クとスプ−ンを直接テ−ブル上のテ−ブルクロスやナプキンに置き並べることが一般的である。
【発明の概要】
【発明が解決しようとする課題】
【０００４】  食事中のフォ−クとスプ−ンは、口の中の食べかすや唾液で汚れているのが普通であるが、飲食中、スプ−ンの種類や食器に持ち替えたりする場合は、使用中の汚れたフォ−クとスプ−ンは、そのままテ−ブルクロスやナプキンの上に置くことは、極めて不衛生なことであり、アウトドアでの飲食の場合も、不衛生極まりない．
【課題を解決するための手段】
【０００５】  本発明は、柄本体と頭部の口含み部とからなる飲食用のフォ−クとスプ−ンに於いて、口含み部に近い頚部に、下に突の湾曲部を設け、テ−ブル上に置いた時、てこの原理応用で、力点となる柄本体の後端下縁の接触点と支点となる湾曲部の下側接触点を結ぶ直線の延長線の上方空間に、作用部となる口含み部を保持すべくなした構成を特徴としたものである。【０００６】  湾曲部の湾曲曲線は、緩やかで柔らかく自然体とすることで、違和感を感じさせないようにする。【０００７】  なお、本発明では、洋食器用のナイフにも応用するもので、ナイフの場合は、横置きとするので、湾曲部は、横方向に突出させて先端部分を空間に持ち上げ保持する支点とする。
【発明の効果】
【０００８】本発明では、飲食中に汚れたフォ−クとスプ−ンを、そのままテ−ブル上に置く場合、湾曲部がてこの支点となって口に含んだ汚れた先端部分を浮かせて、空間に持ち上げ保持するから、汚れを散らさず、極めて清潔で衛生的に取り扱うことができる効果がある。
【図面の簡単な説明】
【０００９】
【図１】  本発明実施例フォ−クの側面図である
【図２】  本発明実施例スプ−ンの側面図である
【図３】  本発明実施例食器用のナイフの側面図である
【発明を実施するための最良の形態】
【００１０】  食事中のフォ−クとスプ−ンは、先端部の口に含む部分は、口の中の食べかすや唾液で汚れているので、飲食中、スプ−ンの種類や食器に持ち替えたりする場合でも、使用中の汚れたフォ−クとスプ−ンを、そのままテ−ブルクロスやナプキンの上に衛生的に置くことが出来る様にしたもので、てこの原理を応用して、汚れた部分を空間に浮かせるようにしたものである。【００１１】  本発明は、柄本体（Ａ）と頭部の口含み部（Ｂ）とからなる飲食用のフォ−クとスプ−ンに於いて、口含み部（Ｂ）に近い頚部に、下に突の湾曲部（Ｃ）を設け、テ−ブル上に置いた時、てこの原理応用で、力点となる柄本体（Ａ）の後端下縁（１）の接触点と支点となる湾曲部（Ｃ）の下側接触点（２）を結ぶ直線の延長線の上方空間に、作用部となる口含み部（Ｂ）を保持すべくなした構成を特徴としたものである。【００１２】  従って、使用中の汚れたフォ−クとスプ−ンを、そのままテ−ブルクロスやナプキンの上に置いても、比較的重い柄本体（Ａ）の後端部分がてこの力点となって、汚れた先端部分を浮かせてテ−ブル上に接触させないから、極めて衛生的に取り扱うことが出来る効果がある。【００１３】  なお、本発明では、洋食器用のナイフにも応用する。
【符号の説明】
【００１４】Ａ  柄本体
Ｂ  口含み部
Ｃ  湾曲部
１  後端下縁
２  下側接触点
【図１】
2014042795.tif 000003
【図２】
2014042795.tif 000004
【図３】
2014042795.tif 000005
(57)【要約】【課題】  非常持出袋は、持ち出しがし易いように、玄関の近くに置く場合、普段の生活の中では邪魔になり、押入れなどの物入れの中に入れておく場合、避難が必要な規模の災害が起きた時は、建物が被害を受けている可能性が高く、保管場所までたどり着けないことが想定される。  本発明は、非常持出品入れであり、椅子としての使用も可能な、救命具兼用非常持出椅子を提供する。【解決手段】  チューブで形成された背負い袋に空気を入れ、筒状にする。上部には座面を、底部には底部カバーを被せる。  胴部カバーを被せ、胴部カバーの裾を底部カバーの内側に入れる。  避難時は、胴部カバーを防災ずきんとして被り、背負い袋を背負って避難する。【選択図】図１
2014042796.tif 000002
【特許請求の範囲】
【請求項１】
空気を入れると円筒状になるチューブで形成された胴部に胴部カバー付の座面を被せ、側部に肩ひもを取り付け底部に底部カバーを取り付けた救命具兼用非常持出椅子。
【発明の詳細な説明】
【技術分野】
【０００１】  本発明は、非常持出品入れであり、椅子としての使用も可能な、救命具兼用非常持出椅子に関するものである。
【背景技術】
【０００２】  従来は、背負い袋の形状のものであった。
【発明の概要】
【発明が解決しようとする課題】
【０００３】  そのために次のような問題点があった。
（イ）持ち出しがし易いように、玄関の近くに置く場合、普段の生活の中では邪魔になる。
（ロ）押入れなどの物入れの中に入れておく場合、避難が必要な規模の災害が起きた時は、建物が被害を受けている可能性が高く、保管場所までたどり着けないことが想定される。
【課題を解決するための手段】
【０００４】  上記問題点を解決するため本発明はチューブで形成された背負い袋に空気を入れ、筒状にし、上部には座面を、底部には底部カバーを被せ更に胴部カバーを被せ、胴部カバーの裾を底部カバーの内側に入れたものである。
避難時は、胴部カバーを防災ずきんとして被り、背負い袋を背負って避難する。
【発明の効果】
【０００５】  椅子としても使用できるため、玄関の近くに置いておきやすい。
胴部カバーの側面に開口部を設け、肩ひもを引き出すと、懐中電灯を掛けることができる。普段の生活の中では常夜灯として使用できる。
玄関の近くを保管場所にすることで、建物が被害を受けた時でも、探して持ち出すことができる可能性が高くなる。
チューブの中に空気が入っているので、水に流されたときは、浮きとして使用できる。
救助を求めている人に遭遇した時には、裏面にロープの入っている座面を投げて、助けることができる。
避難先では、背負い袋を横にすると、出し入れのし易い物入れとして使用できる。
座面は座椅子として単独での使用も可能である。
胴部カバーは、着脱機能を利用して平面にもできる。敷物などとしての使用もできる。
【図面の簡単な説明】
【０００６】
【図１】本発明の椅子の状態での斜視図
【図２】本発明の分解斜視図  （ａ）は胴部カバー。（ｂ）は座面。（ｃ）は背負い袋。（ｄ）は底部カバー。
【図３】本発明の胴部カバーを防災ずきんとして使用する状態の斜視図
【図４】本発明の座面を裏返した状態の斜視図
【図５】本発明の背負い袋の斜視図
【図６】本発明の背負い袋の断面図
【図７】本発明の底部カバー内に収納されている収納袋を引き出した状態の斜視図
【図８】本発明の胴部カバーを防災ずきんとして被り、背負い袋を背負った状態の斜視図
【図９】本発明の救助を求めている人を助ける状態の斜視図
【図１０】本発明の背負い袋を横にして、物入れとして使用する状態の斜視図
【図１１】本発明の着脱機能を利用して平面にした状態の斜視図
【図１２】本発明の座面を座椅子として単独で使用する状態の斜視図
【発明を実施するための形態】
【０００７】  以下、本発明の実施の形態について説明する。
（イ）チューブで形成された胴部（３）に空気を入れ、筒状にする。上部には座面（２）を、底部には底部カバー（４）を被せる。
（ロ）胴部カバー（１）を胴部（３）の上に被せ、裾を底部カバー（４）の内側に入れる。
（ハ）胴部カバー（１）の側面に開口部（８）を設け、肩ひも（５）を引き出すと、懐中電灯（６）を掛けることができる。普段の生活の中では常夜灯として使用できる。
本発明は以上のような構成である。
本発明を防災ずきんとして使用するときは、胴部カバー（１）を取り外し、接続されている胴部カバー（１）の一方の面の着脱機能（７）を上面まで開き、内側に折り込む。胴部カバー（１）の着脱機能（７）を開き、開口部（８）を設ける。開口部（８）に腕を通し、防災ずきんとして被る。
本発明を背負い袋として使用するときは、底部カバー（４）内に収納されている収納袋（１７）を引き出し、胴部（３）の肩ひも（５）の着脱機能（１３）を外し、開口部（１８）から通し、再び着脱機能（１３）を胴部（３）に取り付ける。
座面（２）の蝶番（１１）を折りたたみ、座面を立ち上げる。胴部（３）の上面のひも（２０）で持ち出し品（２１）を括ることができる。
胴部カバー（１）を防災ずきん（１９）として被り、収納袋（１７）でカバーされた胴部（３）を背負い袋として背負って避難する。
本発明を救命具として使用するときは、肩ひも（５）の着脱機能（１３）を外し、ガードレール（２２）の支柱（２３）に交差させて固定する。収納袋（１７）を下げて、胴部（３）のロープ接続部（１４）に、座面（２）の裏面のロープ（１０）を接続し、座面（２）を救命具として、救助を求めている人（２４）に投げて救助する。
本発明を物入れとして使用するときは、胴部（３）を横に倒し、側面を底面にすることで、出し入れがし易い物入れとなる。
本発明を敷物などとして使用するときは、胴部カバーの着脱機能を利用して平面にする。
【符号の説明】
【０００８】      １  胴部カバー
２  座面
３  胴部
４  底部カバー
５  肩ひも
６  懐中電灯
７  着脱機能
８  開口部
９  ひも
１０  ロープ
１１  蝶番
１２  開口部
１３  着脱機能
１４  ロープ接続部
１５  チューブ
１６  仕切り
１７  収納袋
１８  肩ひも（５）を通すための開口部
１９  防災ずきんとして使用時の胴部カバー（１）
２０  ひも
２１  持ち出し品
２２  ガードレール
２３  支柱
２４  救助を求めている人
２５  背もたれ
【図１】
2014042796.tif 000003
【図２】
2014042796.tif 000004
【図３】
2014042796.tif 000005
【図４】
2014042796.tif 000006
【図５】
2014042796.tif 000007
【図６】
2014042796.tif 000008
【図７】
2014042796.tif 000009
【図８】
2014042796.tif 000010
【図９】
2014042796.tif 000011
【図１０】
2014042796.tif 000012
【図１１】
2014042796.tif 000013
【図１２】
2014042796.tif 000014
(57)【要約】【課題】スト−マの根っこに脱脂綿を設けジョイントを装着する事と位置決め用接着テープによりなる排便洩れ防止が出来るスト−マ保有者がより安心して日常生活を送る事を提供する。【解決手段】脱脂綿（１）をスト−マの根っこに巻き、締め加減を調整してバンド的な役目と継手の役目のジョイント（２）と位置決め用接着テープ（３）からなる。本発明は、以上の構成よりなる排便洩れ防止装具を特徴とする。【選択図】図１
2014042793.tif 000002
【特許請求の範囲】
【請求項１】
スト−マに脱脂綿（１）ジョイント（２）を締め付け加減を調整して取付ける事によりシ−ル性を高めようとする。構成によりなる排便洩れ防止装具である。
【発明の詳細な説明】
【技術分野】
【０００１】この発明は、スト−マ保有者が使用する一般市販面板とスト−マの隙間から特に硬い便は排便洩れがおきて常に不安で安心安全の生活が送れない為、不安解消の為の排便洩れ防止装具に関する物である。
【背景技術】
【０００２】従来の排便装具の中で面板とスト−マの隙間から排便洩れに対処する物は市場には粘土で隙間を埋める物がありますが確実に洩れますので、スト−マ保有者は日常生活で常に不安を抱えている。
【発明の開示】
【発明が解決しようとする課題】
【０００３】市販面板は従来、スト−マの大きさに合わせて面板に穴加工された物か自分でスト−マに合わせて穴をハサミで切り取るものが有りますがどうしても隙間ができますそれを完全に補正する物は無くその隙間を塞ぐ事により排便洩れの欠点をなくす為になされたものである。
【課題を解決するための手段】
【０００４】脱脂綿（１）をスト−マの根っこに巻き、締め加減で調整出来るバンド的な役目と継手の役目のジョイント（２）と位置決め用接着テープ（３）からなる、本発明は、以上の構成よりなる排便洩れ防止装具である。
【発明の効果】
【０００５】排便洩れの道を塞ぐ事で、排便は時と場所を選ばず有るので、いかなる状況での排便も安心して日常生活を送る事が出来る。
【発明を実施するための最良の形態】
【０００６】以下、本発明を実施するための最良の形態について説明する。
腸は神経が無いので脱脂綿（１）をスト−マの根っこに巻き、締め加減の出来るバンド的な役目のシリコンゴム製のジョイント（２）と位置決め用接着テープ（３）にて固定する、そこで市販面板を溝に嵌めてスト−マの根っこの変形した形状を［図３］のＤ−断面のようにやや強制して市販面板とスト−マの隙間を塞ぐ［図３］のＢ−Ｂ矢視及びＣ−断面のごとく排便の圧力をお腹に直接受けて市販面板裏面に排便が侵入して面板とお腹の接着面を剥がさない様にする。それ以上の圧力がかかるとスト−マ出口に近いジョイント（２）の先端の傾斜に沿って外に滑るように流れるのでスト−マの根っこのほうには直接大きな圧力はかからない（２）はお腹に貼付け市販面板を（２）溝に差込構造の排便洩れ装具である。
【図面の簡単な説明】
【０００７】
【図１】本発明の断面図及び正面図他詳細図である。
【図２】本発明の斜視図である。
【図３】本発明の矢視図及び説明用図面である。
【符号の説明】
【０００８】１    脱脂綿
２    ジョイント
３    位置決め用接着テープ
【図１】
2014042793.tif 000003
【図２】
2014042793.tif 000004
【図３】
2014042793.tif 000005
【手続補正書】
【提出日】平成24年10月1日(2012.10.1)
【手続補正１】
【補正対象書類名】特許請求の範囲
【補正対象項目名】請求項１
【補正方法】変更
【補正の内容】
【請求項１】
スト−マに脱脂綿をシ−ルとして使用する事、その脱脂綿（１）ジョイント（２を締め付け加減を調整して取付ける事によりシ−ル性を高めようとする。構成によりなる排便洩れ防止装具である。
【手続補正２】
【補正対象書類名】明細書
【補正対象項目名】０００６
【補正方法】変更
【補正の内容】
【０００６】以下、本発明を実施するための最良の形態について説明する。
脱脂綿（１）をスト−マの根っこに巻き、締め加減の出来るバンド的な役目のシリコンゴム製のジョイント（２）と位置決め用接着テ−プ（３）にて固定する、そこで市販面板を溝に嵌めてスト−マの根っこの変形した形状を〔図３〕のＤ−断面のようにやや矯正して市販面板とスト−マの隙間を塞ぐ〔図３〕のＢ−Ｂ矢視及びＣ−断面のごとく排便の圧力をお腹に直接受けて市販面板裏面に排便が侵入して面板とお腹の接着面を剥がさない様にする。それ以上の圧力がかかるとスト−マ出口に近いジョイント（２）の先端の傾斜に沿って外に滑るように流れるのでスト−マの根っこには直接大きな圧力はかからない、脱脂綿の繊維がスト−マの周上接触面積にからみ硬い排便の道を塞ぎ排便圧の歯止めになり抵抗をもたらす事が出来シール性が高まる（２）はお腹に貼付け市販面板を（２）の溝に差込構造の排便洩れ装具である。
(57)【要約】【課題】一般的な洗面台に備え付けられたタオル掛けは、タオルが床に対し垂直に垂れ下がっている為、手を洗った後、タオルで手を拭くまでの間に、手についた水滴が、床に落下する現象を防止することができなかった。本発明は、手についた水滴を床に落下させない水ダレ防止ハンガーを提供する。【解決手段】タオル掛けが固定された取り付け治具に、スイング調整器と可変式バーを備えた、水滴防止落下バーを設けた水ダレ防止ハンガー。【選択図】図２
2014042791.tif 000002
【特許請求の範囲】
【請求項１】
メインバーの両端にタオルクリップを設け、メインバーを固定する為の取り付け治具を設け、取り付け治具には水滴落下防止バーを持ち上げるためのスイング調整器を設けた水ダレ防止ハンガー。
【請求項２】
水受け部の面積を調整する為の、可変式バーを水滴落下防止バーに設けた、請求項１の水ダレ防止ハンガー。
【発明の詳細な説明】
【技術分野】
【０００１】本発明は、手を洗った後の手についた水滴の、床への落下を防止することのできる水ダレ防止ハンガーに関するものである。
【背景技術】
【０００２】洗面台で手を洗った後にタオルで手を拭く為には、洗面台に備え付けられたタオルかけに掛かったタオルを使用することが一般的である。
【先行技術文献】
【特許文献】
【０００３】
【特許文献１】特許公開平８−４９６
【発明の概要】
【発明が解決しようとする課題】
【０００４】一般的な洗面台に備え付けられたタオル掛けは、タオルが床に対し垂直に垂れ下がっている為、手を洗った後、タオルで手を拭くまでの間に、手についた水滴が、床に落下する現象を防止することができない。
本発明は、以上の問題点を解決するためになされたものである。
【課題を解決するための手段】
【０００５】タオル掛け（以下、メインバー）が固定された取り付け治具に、スイング調整器と可変式バーを備えた、水滴防止落下バーを設ける。
以上の構成よりなる水ダレ防止ハンガー。
【発明の効果】
【０００６】従来のタオル掛けでは防げなかった、手洗い後の手についた水滴の床への落下を本発明では防ぐことができる。
【図面の簡単な説明】
【０００７】
【図１】本発明の斜視図
【図２】本発明の使用状態を示す斜視図
【発明を実施するための形態】
【０００８】  以下、本発明の実施の形態を説明する。
（イ）取り付け治具（１）にはタオル（８）を掛ける為の固定式のメインバー（２）を設ける。
（ロ）メインバー（２）には、タオル（８）を固定するためのタオルクリップ（３）を両端よりやや内側に１箇所ずつ設ける。
（ハ）取り付け治具（１）にはメインバー（２）とは別に、スイング調整器（４）を片側１個と、両端に２個の可変式バー（５）を備えた、水滴落下防止バー（６）をメインバー（２）より下の位置に設ける。
本発明は以上のような構造である。
本発明を使用するときは、まず、洗面台より下部に取り付け治具（１）を取り付ける。
次にメインバー（２）にタオル（８）を掛けるが、このときタオルクリップ（３）を用いてタオル（８）のずれ落ちを防止する。
続いて、スイング調整器（４）を時計回りに回して、水滴落下防止バー（６）を持ち上げる。持ち上げる量は、スイング調整器（４）で調整できる。
これにより、垂直にたれていたタオル（８）が水滴落下防止バー（６）に支えられ、持ち上げられる。これによりタオル（８）の一部が、水受け部（７）となって、手洗い後に手についた水滴の落下を受け止める。
水受け部（７）の面積は、可変式バー（５）を調整することで、利用者の好みの量に変更が可能とする。
【符号の説明】
【０００９】１  取り付け治具、２  メインバー、３  タオルクリップ、４  スイング調整器、５  可変式バー、６  水滴落下防止バー、７  水受け部  ８  タオル
【図１】
2014042791.tif 000003
【図２】
2014042791.tif 000004
(57)【要約】      （修正有）【課題】深夜電力の余った電力を有効利用し、一日の使用電力の平均化をはかる方法を提供する。【解決手段】家電製品が電気を蓄える場所を持つことにより、蓄電池３は小型化される。また、家電製品や、電子機器は直流で操作する仕組であり、電子回路４はすべて直流で動作する。電気製品のコンセント（交流１００ボルト）は、交流から低電圧の直流に変換されて電子回路を動作させる。交流を直流に変換した場所で蓄電させることにより、効率のよい充電と、使用電力の供給を行うことができる。また、この蓄電部は電気製品内に組み込まれる。【選択図】図１
2014042438.tif 000002
【特許請求の範囲】
【請求項１】
時間設定により充放電を行うシステムを個々の電気製品に持たせる。
【発明の詳細な説明】
【技術分野】
【０００１】  本考案は一日の使用電力の平均化をはかるために、各電気製品に充電機能を持たせる。深夜電力の余った電力の有効利用が可能になる。その制御にインターネットや携帯端末を利用する。
【背景技術】
【０００２】  本考案は、現在の電力不足解消に大きな成果を上げることが期待できる。蓄電池の性能向上と小型化、インターネットや携帯端末からの遠隔操作などの技術は目覚しく発展している。これらの技術の応用により、以下のことが可能となる。一日の電力利用の平均化をはかり、最大利用電力を抑えることができる。その為、電力会社で夜間に捨てられる電力を電気製品に蓄える機能を持たせる。そして、夜間蓄えた電力を昼間の電力消費が多い時間帯に、その電力を利用し電気製品を動かす。
【発明の開示】
【発明が解決しようとする課題】
【０００３】  本考案は使用電力の平均化をはかるために、各電気製品に充電機能を持たせる。夜間捨てられる電力の有効利用を行い、電力不足を解消しようとするものである。現在電力発電に大きな問題を抱え（原発の利用の有無）、各企業とも、原発を使わない電気エネルギーの利用に力が注がれている。しかし、大きな電力を蓄えるには大規模な装置が必要となり、現況では大電力の保存は不可能に近い。そこで、電気製品ごとに、蓄電機能を装備させる。この製品群は、深夜の余剰電力で充電を行い。昼間の電力が不足する時間に合わせて、これらの機器が深夜充電した電力で運転させる。深夜においては、４０％前後の電力が捨てられている。この捨てられる電力を昼間の時間帯に移動させることにより、一日の電力利用の平均化がはかれる。
【問題を解決するための手段】
【０００４】  本考案は、各電気製品が充電機能を持つため、利用者側は、今までの家電製品となんら変わることなく、使用できることが重要である。そこで、各電器製品にタイマー機能を持たせる。たとえば、テレビ、冷蔵庫、照明機器、などのように、一般家電製品に蓄電池とタイマーを組み合わせて自動的に夜間充電と昼間の電力利用を制御させる。このことにより、ユーザー側は、今までの電気製品と変わらず使うことができる。
現在では電気自動車を緊急時の電源代わりに利用する。また家の外に大きな蓄電器を置くなどの方法もあるが、価格も高価である。各電気製品に内蔵されることにより、製造メーカで量産化されると、価格の低減をはかることが可能である。また、小型で効率のよい蓄電池の研究開発が進んでいる。
【考案の効果】
【０００５】  本考案は使用電力の平均化をはかるために、各電気製品に充電機能を持つことにより、深夜電力の余った電力の有効利用が可能である。従って、捨てられる電力が有効活用されるので、電力コストも下がる。また、製品は一体型となるので、利用者にとっては電気代が安くなる。そして使用上は違和感なく使える。
【発明を実施するための最良の形態】
【０００６】  本考案は、最良の形態としての使用方法は標準設定と自由設定とする。
標準設定は電気製品の充電を電力会社の余剰電力（深夜電力）時に合わせ充電を行う。そして日中の使用電力ピーク時に合わせて充電電力の放出を自動的に行う仕組みにし、これを標準設定とする。電気製品利用者側が設定を気にせずに扱える。
自由設定は、電気製品の充電時間と充電放出時間が、任意に設定できる仕組みにする。ネット回線や携帯端末を利用することで制御操作も簡単になり、電力の過不足に連動させ対応できる。また、停電時にも、この仕組が機能する。このようにして余剰電力を使用ピーク電力時に移行することにより、総発電力を抑えることができ電力コストも下がる。
【実施例】
【０００７】  本案の実施例  （ＬＥＤランプ・冷蔵庫・テレビジョンの場合）
2014042438.tif 000003
このようにして、各家電製品に適用することができる。小さなエネルギー蓄積の集合体だがたくさん集まることにより、夜間捨てられる電力を昼間に移動し、昼間の電力不足分を補うことで、一日の使用電力の平均化がはかれる。
【産業上の利用可能性】
【０００８】  充電機能を持つ家電製品となる為  新たな家電製品開発につながる。そして製造メーカーが、市場に新製品として販売することにより消費拡大につながり、産業界の活性化を促す。
【図面の簡単な説明】
【０００９】
【図１】  １は電源部でＡＣ１００Ｖの電圧を低電圧に変換する。２は制御部で低電圧を、蓄電部に蓄えたり、放出したり制御する。３は蓄電部で二次回路で使う電気を蓄える場所  ４は電気製品を機能させるための回路（液晶テレビ動作）  ５は液晶テレビ全体を示す  ６はＡＣ１００Ｖ用のコンセント
【符号の説明】
【００１０】  １  バッテリー充電回路
２  制御部
３  蓄電池
４  電気回路
５  製品本体
６  ＡＣコンセント
【図１】
2014042438.tif 000004